(57)【要約】 【課題】  投射型表示機から射出される各単色の色度を高精度かつ短時間に測定する色度測定方法および色度測定装置を提供する。【解決手段】  ＳＴ１においてプロジェクタから射出される赤色の色度測定が行われる。ＳＴ２において緑色の色度測定が行われる。ＳＴ３において白色の色度測定が行われる。ＳＴ４において青色の色度が算出される。【選択図】  図３
2006098374.tif 000002
【特許請求の範囲】
【請求項１】
２色以上を混色してカラー画像を表示する表示機の各単色の色度を測定する色度測定方法において、
特定色を除いた他の色に関する色度を測定する非特定色測定工程と、
前記特定色を含む複数の色が混色された混合色の色度を測定する混合色測定工程と、
前記非特定色測定工程にて取得された色度と前記混合色測定工程で取得された混合色の色度とに基づいて前記特定色の色度を算出する特定色色度算出工程と、を備える
ことを特徴とする色度測定方法。
【請求項２】
請求項１に記載の色度測定方法において、
前記特定色は、前記表示機で表示される色のうち照度が最も低い色である
ことを特徴とする色度測定方法。
【請求項３】
請求項１または請求項２に記載の色度測定方法において、
前記非特定色測定工程は、前記表示機に単色ずつ表示させて各単色の色度を測定する
ことを特徴とする色度測定方法。
【請求項４】
請求項１から請求項３のいずれかに記載の色度測定方法において、
前記表示機は、第１色、第２色および第３色の３色を混色して前記カラー画像を生成し、
前記非特定色測定工程は、所定の照度レベルにおいて前記表示機から出射される前記非特定色としての前記第１色および前記第２色の色度をそれぞれ測定し、
前記混合色測定工程は、前記所定の前記照度レベルにおいて前記表示機から出射される前記第１色、前記第２色および前記特定色としての第３色の混合色の色度を測定し、
前記特定色色度算出工程は、前記所定の前記照度レベルにおける前記第１色の色度を（Ｘｒｉ、Ｙｒｉ、Ｚｒｉ）、前記所定の前記照度レベルにおける前記第２色の色度を（Ｘｇｉ、Ｙｇｉ、Ｚｇｉ）、前記所定の前記照度レベルにおける前記混合色の色度を（Ｘｗｉ、Ｙｗｉ、Ｚｗｉ）、オフセット値を（Ｘ０、Ｙ０、Ｚ０）とするとき、前記所定の前記照度レベルにおける前記特定色の色度（Ｘｂｉ、Ｙｂｉ、Ｚｂｉ）を次の式で算出することを特徴とする色度測定方法。
Ｘｂｉ＝Ｘｗｉ−Ｘｒｉ−Ｘｇｉ＋２Ｘ０
Ｙｂｉ＝Ｙｗｉ−Ｙｒｉ−Ｙｇｉ＋２Ｙ０
Ｚｂｉ＝Ｚｗｉ−Ｚｒｉ−Ｚｇｉ＋２Ｚ０
【請求項５】
請求項１から請求項３のいずれかに記載の色度測定方法において、
前記非特定色測定工程は、前記特定色を除いて、他の色の照度レベルを指定された指定照度レベルとして混合した混合色の色度を測定し、
前記混合色測定工程は、前記特定色以外の各色は前記指定照度レベルであって、かつ、前記特定色の照度レベルを所定の照度レベルとする混合色の色度を測定し、
前記特定色色度算出工程は、
前記非特定色測定工程で得られた色度を（Ｘｃ０、Ｙｃ０、Ｚｃ０）、前記混合色測定工程で得られた色度を（Ｘｃｉ、Ｙｃｉ、Ｚｃｉ）、オフセット値を（Ｘ０、Ｙ０、Ｚ０）とするとき、前記所定の照度レベルにおける前記特定色の色度（Ｘｂｉ、Ｙｂｉ、Ｚｂｉ）を次の式で算出することを特徴とする色度測定方法。
Ｘｂｉ＝Ｘｃｉ−Ｘｃ０＋Ｘ０
Ｙｂｉ＝Ｙｃｉ−Ｙｃ０＋Ｙ０
Ｚｂｉ＝Ｚｃｉ−Ｚｃ０＋Ｚ０
【請求項６】
２色以上を混色してカラー画像を表示する表示機の各単色の色度を測定する色度測定装置において、
特定色を除いた他の色に関する色度を測定する非特定色測定手段と、
前記特定色を含む複数の色が混色された混合色の色度を測定する混合色測定手段と、
前記非特定色測定手段にて取得された色度と前記混合色測定手段で取得された混合色の色度とに基づいて前記特定色の色度を算出する特定色色度算出手段と、を備える
ことを特徴とする色度測定装置。
【請求項７】
請求項６に記載の色度測定装置において、
前記非特定色測定手段は、前記特定色を除いた他の色の表示を前記表示機に指令する色指令部と、この色指令部の指令により前記表示機で表示される前記特定色を除いた他の色の色度を測定する色度計と、を備えて構成され、
前記混合色測定手段は、前記特定色を含む複数の色が混色された混合色の表示を前記表示機に指令する色指令部と、この色指令部の指令により前記表示機で表示される前記混合色の色度を測定する色度計と、を備えて構成されている
ことを特徴とする色度測定装置。
【発明の詳細な説明】
【技術分野】
【０００１】
本発明は、色度測定方法および色度測定装置に関し、例えば、プロジェクタ等の表示機から射出される赤色、緑色、青色等の各色の色度を測定する色度測定方法および色度測定装置に関する。
【背景技術】
【０００２】
従来、光学像を投射するプロジェクタが知られ、このプロジェクタから射出される赤色、緑色、青色が設計通りの色度特性になっているかを確認するための色度測定が行われている（例えば、特許文献１）。
従来、このような色度測定においては、プロジェクタから単色（赤色光、緑色光、青色光）ずつ投射させてこれら各単色の色度を色度計により測定することが行われている。なお、この際、光の照度レベルを指令する入力レベルの０％〜１００％までを一定ピッチで刻んで各入力レベルによる照度レベルの各単色について色度測定が行われる。
このように、各単色の色度が測定され、その結果に基づいて設計上の特性が実現されているかが検査される。
【０００３】
【特許文献１】特開２００１−３２４３８６号公報
【発明の開示】
【発明が解決しようとする課題】
【０００４】
しかしながら、例えば、一般にプロジェクタにおいては、構造上、青色の照度が低くなるということが知られている。すると、青色について色度計で色度を測定するにあたって、三刺激値を直読するタイプの色度計にあっては、照度不足により正確な色度を得ることができないという問題が生じる。また、分光測定から三刺激値に換算するタイプの色度計では、照度が低い場合でもある程度の精度で色度測定を行うことができるものの、照度不足を補うために露光時間を長くしなければならないという問題が生じる。
そこで、各色の色度を短時間でかつ高精度に測定する方法が望まれていた。
このような問題は、三板式液晶プロジェクタ、液晶プロジェクションＴＶ、液晶ディスプレイ、プラズマディスプレイなど、複数の単色（例えばＲＧＢ）により色を表現するデバイスに共通する問題である。
【０００５】
本発明の目的は、表示機で表示される各単色の色度を高精度かつ短時間に測定する色度測定方法および色度測定装置を提供することにある。
【課題を解決するための手段】
【０００６】
本発明の色度測定方法は、２色以上を混色してカラー画像を表示する表示機の各単色の色度を測定する色度測定方法において、特定色を除いた他の色に関する色度を測定する非特定色測定工程と、前記特定色を含む複数の色が混色された混合色の色度を測定する混合色測定工程と、前記非特定色測定工程にて取得された色度と前記混合色測定工程で取得された混合色の色度とに基づいて前記特定色の色度を算出する特定色色度算出工程と、を備えることを特徴とする。
【０００７】
この構成によれば、例えば色度計で特定色の色度を直接に測定するのに不都合がある場合でも、他の色に関する測定値と混合色の測定値とを用いた演算処理により特定色の色度を求めることができる。
例えば、ＲＧＢの三原色を混色してカラー光学像を投射するプロジェクタでは赤色、緑色については色度計で測定できる程度に照度を得られるが、青色については照度不足のために色度計で測定するには時間がかかったり精度が得られなかったりする。
そこで、色度計での測定に不向きな青色（特定色）について直接測定することに代えて、青色を含めた３色を混合した白色について色度を測定し（混合色測定工程）、この白色についての測定値と、他の色つまり赤色、緑色に関して色度計で測定した測定値（非特定色測定工程）とに基づいて青色の色度を算出する（特定色色度算出工程）。
【０００８】
色度計での測定に適さない特定色（例えば青色）がある場合に、この特定色を直接測定することに代えて、十分な照度を得られる混合色を測定するので、この混合色について高精度かつ短時間で色度を測定することができる。そして、他の色の測定値とこの混合色の測定値とに基づいた演算により特定色の色度を得るので、特定色の色度を直接に測定する場合に比べて特定色の色度を高精度に求められ、かつ、短時間で測定作業を終えることができる。
特定色の直接測定に代えて混合色の測定を行うので単色ごとに色度を測定する場合に比べても測定工程が増加することもなく、また、特定色色度算出工程は演算処理だけで対応できるので色度計自体の改良などは必要なくコストもかからない。
【０００９】
なお、ここで、特定色とは、単独で色度を測定しないように指定（設定）された色であり、このように特定色として指定される色は、１色でもよく、場合によっては２色以上でもよい。
また、非特定色測定工程では、非特定につき１色ずつ色度を測定してもよく、あるいは、非特定色を混色した混合色の色度を測定してもよく、要は、非特定色に関する色度について測定すればよい。
【００１０】
本発明では、前記特定色は、前記表示機で表示される色のうち照度が最も低い色であることが好ましい。
【００１１】
この構成によれば、照度不足のために色度計で測定するには時間がかかったり精度が得られなかったりする特定色について色度計で直接に測定することに代えて、十分な照度が得られる混合色の色度を色度計で測定するので、短時間で測定作業を終えることができ、かつ、高精度に測定できる混合色の色度と他の色の色度とに基づく演算により特定色の色度を高精度に求めることができる。
【００１２】
本発明では、前記非特定色測定工程は、前記表示機に単色ずつ表示させて各単色の色度を測定することが好ましい。
【００１３】
この構成によれば、非特定色測定工程において特定色を除くすべての非特定色ひとつひとつの色度を得て、さらに、この非特定色測定工程において得られた各非特定色の色度と混合色測定工程で得られる混合色の色度とに基づいて特定色の色度を得るので、すべての色の色度を最も少ない測定作業で得ることができる。
【００１４】
なお、前記非特定色測定工程においては、特定色を除く総ての非特定色を混合して前記投射型表示機から射出させ、非特定色が混合された混合色の色度を測定してもよい。そして、このように測定された非特定色についての混合色と特定色を含む全混合色の色度とに基づいて特定色の色度を算出する。すると、特定色の色度を求めるのに、二つの測定工程だけでよいので、短時間で測定作業を終えることができる。
たとえば、特定色の色度を一旦色度計で直接に測定しておいて、この測定値を校正する場合など、特定色の色度のみを得たい場合に測定時間短縮の利点がある。
【００１５】
本発明では、前記表示機は、第１色、第２色および第３色の３色を混色して前記カラー画像を生成し、前記非特定色測定工程は、所定の照度レベルにおいて前記表示機から出射される前記非特定色としての前記第１色および前記第２色の色度をそれぞれ測定し、前記混合色測定工程は、前記所定の前記照度レベルにおいて前記表示機から出射される前記第１色、前記第２色および前記特定色としての第３色の混合色の色度を測定し、前記特定色色度算出工程は、前記所定の前記照度レベルにおける前記第１色の色度を（Ｘｒｉ、Ｙｒｉ、Ｚｒｉ）、前記所定の前記照度レベルにおける前記第２色の色度を（Ｘｇｉ、Ｙｇｉ、Ｚｇｉ）、前記所定の前記照度レベルにおける前記混合色の色度を（Ｘｗｉ、Ｙｗｉ、Ｚｗｉ）、オフセット値を（Ｘ０、Ｙ０、Ｚ０）とするとき、前記所定の前記照度レベルにおける前記特定色の色度（Ｘｂｉ、Ｙｂｉ、Ｚｂｉ）を次の式で算出することを特徴とする。
【００１６】
【数１】
2006098374.tif 000003
【００１７】
この構成によれば、非常に単純な演算処理により、特定色の色度を得ることができる。
ここで、オフセット値とは、前記混合色の入力レベルを０％とした状態において色度計が示す測定値のことである。
色度計にて各色を測定する際にはこのオフセット値が加算されているところ、混合色の測定値から第１色および第２色の測定値を単純に減算するだけではオフセット値の分を引きすぎることになるので、上記の式においては引きすぎたオフセット分を加算している。
【００１８】
本発明では、前記非特定色測定工程は、前記特定色を除いて、他の色の照度レベルを指定された指定照度レベルとして混合した混合色の色度を測定し、前記混合色測定工程は、前記特定色以外の各色は前記指定照度レベルであって、かつ、前記特定色の照度レベルを所定の照度レベルとする混合色の色度を測定し、前記特定色色度算出工程は、前記非特定色測定工程で得られた色度を（Ｘｃ０、Ｙｃ０、Ｚｃ０）、前記混合色測定工程で得られた色度を（Ｘｃｉ、Ｙｃｉ、Ｚｃｉ）、オフセット値を（Ｘ０、Ｙ０、Ｚ０）とするとき、前記所定の照度レベルにおける前記特定色の色度（Ｘｂｉ、Ｙｂｉ、Ｚｂｉ）を次の式で算出することが好ましい。
【００１９】
【数２】
2006098374.tif 000004
【００２０】
このような構成において、特定色を含む混合色を測定する場合（混合色測定工程）に、特定色については求めたい所定レベルの照度とする一方で、他の色については指定照度レベルとする。この指定照度レベルを色度計での測定に十分な照度レベルとしておけば、特定色を含む混合色の色度を短い時間でかつ高精度に測定することができる。
そして、上式による簡便な計算により特定色の色度を求めることができる。
【００２１】
ここで、前記指定照度レベルは、略最大の照度レベルであることが好ましい。
この構成によれば、特定色を含む混合色を測定するにあたって特定色以外の色の照度レベルを略最大として十分な光量を得られる。特に、分光タイプの色度計で色度を測定する場合には露光時間を短くできる点で非常に有効である。
ここで、略最大とは０％〜１００％までの照度レベルがあるときに最大（１００％）に近い値、例えば、９０％以上にすることをいうが、最大である１００％にすることが最も望ましいのは当然である。
【００２２】
なお、前記指定照度レベルとしては、必ずしも最大の照度レベルでなくてもよく、色度計での測定に十分な照度を得られるレベルであればよい。例えば、５０％や６０％程度であってもよい。
【００２３】
本発明の色度測定装置は、２色以上を混色してカラー画像を表示する表示機の各単色の色度を測定する色度測定装置において、特定色を除いた他の色に関する色度を測定する非特定色測定手段と、前記特定色を含む複数の色が混色された混合色の色度を測定する混合色測定手段と、前記非特定色測定手段にて取得された色度と前記混合色測定手段で取得された混合色の色度とに基づいて前記特定色の色度を算出する特定色色度算出手段と、を備えることを特徴とする。
【００２４】
この構成によれば、上記発明と同様の作用効果を奏することができる。
すなわち、色度計で特定色の色度を直接に測定するのに不都合がある場合でも、他の色に関する測定値と混合色の測定値とを用いた演算処理により特定色の色度を求めることができる。
【００２５】
本発明では、前記非特定色測定手段は、前記特定色を除いた他の色の表示を前記表示機に指令する色指令部と、この色指令部の指令により前記表示機で表示される前記特定色を除いた他の色の色度を測定する色度計と、を備えて構成され、前記混合色測定手段は、前記特定色を含む複数の色が混色された混合色の表示を前記表示機に指令する色指令部と、この色指令部の指令により前記表示機で表示される前記混合色の色度を測定する色度計と、を備えて構成されていることが好ましい。
【００２６】
この構成によれば、色指令部による指令によって特定色を除く他の色および混合色が表示機で表示され、これらの色の色度が色度計により測定される。
【００２７】
なお、色度計は一つでよく、また、色指令部も一つでよい。
照度が低いなどにより色度計での直接測定に適さない特定色を測定せずに照度が十分に得られる非特定色や混合色を測定するので、例えば、測定できる照度の測定レンジによって色度計を複数用意して切り替えるなどは必要ない。また、色指令部は、例えば、内部のソフト的処理により表示機に指令する色を変えることができる。したがって、非特定色測定手段および混合色測定手段をともに色指令部と色度計とにて構成することができ、このように非特定色測定手段と混合色測定手段とで基本構成を共用できるので、簡便な構成とすることができる。
【発明を実施するための最良の形態】
【００２８】
（第１実施形態）
本発明の色度測定装置に係る第１実施形態について説明する。
以下の説明で明らかとなるように、本発明の色度測定装置の要点は、ある特定の色（特定色）の色度を、前記特定色を除く２色の色度と３色が合成された白色の色度とに基づいた演算処理によって算出することにある。
以下、本発明の実施の形態を図示するとともに図中の各要素に付した符号を参照して説明する。
【００２９】
図１は、測定対象となるプロジェクタ（表示機）の構成を示す図である。図２は、色度測定装置に係る第１実施形態の全体構成を示す図である。図３は、色度測定方法の手順を示すフローチャートである。図４は、色度計によって取得される測定値をまとめたテーブルである。
【００３０】
（プロジェクタの構成）
まず、色度測定の対象となるプロジェクタ７００について図１を参照しながら簡単に説明する。
光源７１０からの光は、リフレクタ７２０で平行光束にされ、二枚のレンズアレイ７３１、７３２を通って色分離光学系７４０に進む。色分離光学系７４０は、赤色を反射して青色および緑色を通過させるダイクロイックミラー７４１と、緑色を反射して青色を通過させるダイクロイックミラー７４３と、を備え、光を赤色、緑色、青色に分離する。
そして、赤色は反射ミラー７４２に反射され、緑色はダイクロイックミラー７４３に反射され、青色は二枚の反射ミラー７４６、７４７を有するリレー光学系７４５に導かれ、電気光学装置７５０の赤色用液晶パネル７５１、緑色用液晶パネル７５２および青色用液晶パネル７５３にそれぞれ入射する。
各色は、各液晶パネル７５１〜７５３において画像情報に応じた所定の変調を受けて、プリズム７５４で合成される。合成されたカラー画像は投射光学系７６０から射出され、例えば図示しないスクリーン上に拡大投写される。
【００３１】
このようなプロジェクタ７００の検査を行うにあたっては、色分離光学系７４０で分離された色ごと（赤色、緑色、青色）の検査が行われる。
そして、例えば、赤色光の色度を色度計で測定する場合、赤色用液晶パネル７５１には光を透過させる旨の指令が送られ、かつ、緑色用液晶パネル７５２および青色用液晶パネル７５３には光を遮断させる旨の指令が送られる。
【００３２】
（色度測定装置）
色度測定装置について説明する。
以下の説明においては、上記プロジェクタから出射される色（赤色、緑色、青色）のうち赤色、緑色については十分な照度があるが、青色については照度が低い場合を例にして説明する。すなわち、赤色、緑色については色度計で測定できるところ、青色が本発明の色度計測定方法により色度を得たい特定色である場合について説明する。
【００３３】
色度測定装置１００は、色度計２００と、ホストコンピュータ３００と、入力手段４００と、出力手段５００と、を備えている。
色度計２００は、プロジェクタから投射される光の色度を測定して、測定結果をホストコンピュータ３００に出力する。
なお、色度計２００としては、三刺激値を直読するタイプの色度計でもよく、分光測定から三刺激値に換算するタイプの色度計であってもよい。
【００３４】
ホストコンピュータ３００は、プロジェクタ制御部３１０、測定値記憶部３４０と、演算部３５０と、を備えている。
プロジェクタ制御部３１０は、色指令部３２０と、照度レベル指令部３３０と、を備えている。
色指令部３２０は、プロジェクタ７００に対して射出する色を指令する。すなわち、各液晶パネル（赤色用液晶パネル７５１、緑色用液晶パネル７５２、青色用液晶パネル７５３）における光の透過あるいは遮断といった変調を指令する。
ここで、色指令部３２０には、プロジェクタ７００に射出する色の順番を指令するための色指令プログラムが予め設定されており、この色指令プログラムは、赤色、緑色に続いて赤色、緑色および青色の混合色である白色（全混合色）を順番にプロジェクタ７００に射出させる。
【００３５】
照度レベル指令部３３０は、プロジェクタ７００に対して射出する光の照度レベルを指令する。すなわち、各液晶パネル７５１〜７５３に対して、光の透過のレベル（透過率）を指令する。
ここで、照度レベル指令部３３０は、光の照度レベルを指令する入力レベルの０％〜１００％までを一定ピッチで刻んで各入力レベルに従った照度レベルの光を射出させるようにプロジェクタ７００に指令する。例えば、入力レベル０％から入力レベル１００％を３３段階に刻むことが例として挙げられる。
【００３６】
測定値記憶部３４０は、色度計２００で測定された測定値を記憶する。
このとき、測定値記憶部３４０は、色指令部３２０からプロジェクタ７００に対して指令される色および、照度レベル指令部３３０からプロジェクタ７００に対して指令される入力レベルを測定で得られた測定値に関連させて記憶する。
例えば、図４に示されるように、赤色、緑色および白色について入力レベル０％から３％刻みで３３ポイントの測定値が記憶される。
【００３７】
演算部３５０は、測定値記憶部３４０に記憶された測定値に基づいて特定色（ここでは青色）の色度を演算で求める。
ここで、赤色の入力レベルｉにおける色度を（Ｘｒｉ、Ｙｒｉ、Ｚｒｉ）、緑色の入力レベルｉにおける色度を（Ｘｇｉ、Ｙｇｉ、Ｚｇｉ）、白色の入力レベルｉにおける色度を（Ｘｗｉ、Ｙｗｉ、Ｚｗｉ）、白色の入力レベル０％における色度（オフセット値）を（Ｘｗ０、Ｙｗ０、Ｚｗ０）とするとき、演算部３５０は、入力レベルｉにおける青色の色度を、次の式（１）により算出する。
【００３８】
【数３】
2006098374.tif 000005
【００３９】
出力手段５００は、測定値記憶部３４０に記憶された赤色、緑色の色度、および、演算部３５０で算出された青色の色度を出力する。出力手段５００としては、モニタやプリンタなどが例として挙げられる。
【００４０】
（色度測定方法）
このような構成を備える第１実施形態の動作について図３のフローチャートを参照して説明する。
まず、ＳＴ（ステップ）１において、プロジェクタ７００から射出される赤色の色度測定が行われる（非特定色測定工程）。
すなわち、色指令部３２０からプロジェクタ７００に赤色の射出が指令されるとともに、照度レベル指令部３３０からプロジェクタ７００に対して照度０％から順に照度レベルが指令される。すると、指令された各照度レベルの赤色光がプロジェクタ７００から射出され、この射出された赤色光の色度が色度計で測定される。測定値は、測定値記憶部３４０に記憶される。
【００４１】
赤色の色度について全照度レベルにおける測定が終わったところで（ＳＴ１）、ＳＴ２において、緑色の色度測定が行われる（非特定色測定工程）。プロジェクタ制御部３１０（色指令部３２０、照度レベル指令部３３０）からの指令により、プロジェクタ７００から各照度レベルの緑色が射出され、この射出された緑色光の色度が色度計２００で測定される。測定値は、測定値記憶部３４０に記憶される。
【００４２】
緑色の色度について全照度レベルにおける測定が終わったところで（ＳＴ２）、ＳＴ３において、白色の色度測定が行われる（混合色測定工程）。すなわち、色指令部３２０から赤色、緑色および青色を合成した白色の射出が指令されるとともに、照度レベル指令部３３０からプロジェクタ７００に対して照度０％から順に照度レベルが指令される。指令された各照度レベルの白色光がプロジェクタ７００から射出され、この射出された白色光の色度が色度計２００で測定される。
【００４３】
赤色、緑色および白色について全照度レベルでの色度測定が終わったところで（ＳＴ１、ＳＴ２、ＳＴ３）、ＳＴ４において青色の色度が算出される（特定色色度算出工程）。これは、測定値記憶部３４０に記憶された測定値を用いて、式（１）による演算が行われる。すると、各入力レベルにおける青色の色度（Ｘｂｉ、Ｙｂｉ、Ｚｂｉ）が算出される。
そして、赤色、緑色、青色について全入力レベルの色度が出力される。
【００４４】
このような構成を備える第１実施形態によれば、次の効果を奏する。
（１）照度不足のために青色を色度計２００で直接に測定するのが困難である場合でも、青色を直接測定することに代えて、十分な照度を得られる白色を測定するので、この白色について高精度かつ短時間で色度を測定することができる。そして、赤色および緑色の測定値と白色の測定値とに基づいた演算により青色の色度を得ることができる。その結果、青色の色度を直接に測定する場合に比べて青色の色度を高精度に求めることができ、かつ、短時間で測定作業を終えることができる。
【００４５】
（２）青色を直接測定することに代えて白色の測定を行うので測定の工程が増加することはない。また、演算部３５０での処理は非常に単純な演算処理で対応でき、かつ、色度計２００自体の改良など必要ないので、コストもかからない。
【００４６】
（３）赤色、緑色については単色ずつ測定したうえで（ＳＴ１、ＳＴ２）、赤色、緑色の測定値と白色の測定値に基づく演算により青色の色度を求めるので、各単色の色度を一つずつ測定した場合と同じ回数の測定作業ですべての色（赤色、緑色、青色）の色度を得ることができる。
【００４７】
（変形例１）
次に、本発明の色度測定方法の変形例１について説明する。
上記第１実施形態において説明したプロジェクタ（図１参照）から射出される色の色度を測定する場合を例に説明する。また、赤色、緑色については色度計で測定できるところ、青色が本発明の色度計測定方法により色度を得たい特定色である場合について説明する。
【００４８】
変形例１の色度測定方法は、非特定色測定工程（ＳＴ１１）と、混合色測定工程（ＳＴ１２）と、オフセット値測定工程（ＳＴ１３）、特定色色度算出工程（ＳＴ１４）と、を備えて構成されている。
【００４９】
非特定色測定工程ＳＴ１１は、青色が特定色であるところ、青色を除いて、非特定色である赤色と緑色との混合色の色度を測定する。このとき、赤色および緑色の入力レベルは１００％として最大の照度レベルにおける赤色と緑色との混合色をプロジェクタから射出させて色度計で測定する。入力レベル（Ｒ、Ｇ、Ｂ）＝（１００％、１００％、０％）であるときの測定値を（Ｘｃ０、Ｙｃ０、Ｚｃ０）で表す。
【００５０】
混合色測定工程ＳＴ１２は、青色、緑色および赤色の混合色の色度を測定する。このとき、特定色である青色の入力レベルは、求めるべき所定の照度レベルｉとなるようにし、非特定色である赤色および緑色の入力レベルは最大である１００％として混色する。このように混色された混合色を色度計で測定する。なお、測定は、青色の入力レベルｉを０％から３％刻みで３３ポイント測定することが例として挙げられる。入力レベル（Ｒ、Ｇ、Ｂ）＝（１００％、１００％、ｉ％）であるときの測定値を（Ｘｃｉ、Ｙｃｉ、Ｚｃｉ）で表す。
【００５１】
オフセット値測定工程ＳＴ１３は、入力レベル（Ｒ、Ｇ、Ｂ）＝（０％、０％、０％）であるときの色度測定である。このときの測定値を（Ｘ０、Ｙ０、Ｚ０）で表す。
【００５２】
特定色色度算出工程ＳＴ１４は、特定色である青色の色度を演算により算出する。
このとき、入力レベルｉにおける青色の色度（Ｘｂｉ、Ｙｂｉ、Ｚｂｉ）は次の式で算出される。
【００５３】
【数４】
2006098374.tif 000006
【００５４】
これにより、所定入力レベルにおける青色の色度（Ｘｂｉ、Ｙｂｉ、Ｚｂｉ）が求められる。
【００５５】
このような変形例１によれば、次の効果を奏することができる。
（４）混合色測定工程ＳＴ１２において、青色は求めたい所定レベルの照度とする一方で、緑色および赤色は最大の入力レベルとするので、色度計での測定に十分な照度レベルを得ることができる。その結果、特定色（青色）を含む混合色の色度を短い時間でかつ高精度に測定することができる。
例えば、従来のごとく入力レベル（Ｒ，Ｇ、Ｂ）＝（０％、０％、１０％）の青色光を分光タイプの色度計に測定する場合、２００００ｍｓｅｃの時間と要していた。これに対して、入力レベル（Ｒ、Ｇ、Ｂ）＝（１００％、１００％、１０％）の混合色を測定する場合には、５００ｍｓｅｃの時間でよい。測定を入力レベル０％から３３ポイント行うことを考えると、照度レベルの低い単色を測定していく従来の方法に比較すると、この変形例１により測定時間を１０分の１から１００分の１程度に短縮できるという画期的な効果を奏する。さらに、照度レベルが十分であるため、測定精度も向上されるという格別の効果もある。
【００５６】
なお、本発明は前述の実施形態に限定されず、本発明の目的を達成できる範囲での変形、改良等は本発明に含まれる。
上記実施形態では、赤色について全入力レベルの測定を行ったのちに緑色、白色の色度測定を行うというように、各色に関して総ての入力レベルにおいて色度を測定してから次の色の測定に移行する場合を例に説明したが、このような測定の順序は特に限定されないのはもちろんである。例えば、入力レベルｉ％における赤色、緑色および白色について色度測定を行って、続いて次の入力レベルにおける赤色、緑色、白色の色度を測定していくというように、入力レベルごとに各色の色度を測定してもよい。
【００５７】
上記実施形態では、赤色、緑色についてそれぞれ測定し、続いて白色を測定して、赤色、緑色および白色の測定値から青色の色度を算出したが、例えば、特定色以外の一色（非特定色）の色度を測定するとともに特定色と非特定色との混合色の色度を測定し、非特定色の測定値とこの混合色の測定値とから特定色の色度を求めてもよい。例えば、赤色について色度を測定し、続いて赤色と青色との混合色の色度を測定し、赤色の測定値とこの混合色の測定値とから青色の色度を算出してもよい。
【００５８】
または、色を複数のパターンで組み合わせた複数の混合色の色度について測定を行い、これら混合色についての測定値に基づく連立方程式を解いて特定色を含む各色の色度を算出してもよい。赤色、緑色、青色の３色である場合、（赤色、緑色）の混合色と、（緑色、青色）の混合色と、（青色、赤色）の混合色とについて色度を測定し、３元連立方程式から各単色の色度を求めてもよい。混合色にすれば、単色の場合に比べて照度が得られるので、短時間かつ高精度に測定値を得ることができ、その結果、各色の色度を短時間かつ高精度に求めることができる。
【産業上の利用可能性】
【００５９】
本発明は、三板式液晶プロジェクタ、液晶プロジェクションＴＶ、液晶ディスプレイ、プラズマディスプレイなど、複数の単色（例えばＲＧＢ）により色を表現するデバイスで表示される色の色度を検査することに利用できる。
【図面の簡単な説明】
【００６０】
【図１】測定対象となるプロジェクタの構成を示す図。
【図２】色度測定装置に係る第１実施形態の全体構成を示す図。
【図３】色度測定方法の手順を示すフローチャート。
【図４】色度計によって取得される測定値をまとめたテーブルを示す図。
【図５】変形例１に係る色度測定方法の手順を示すフローチャート。
【符号の説明】
【００６１】
１００…色度測定装置、２００…色度計、３００…ホストコンピュータ、３１０…プロジェクタ制御部、３２０…色指令部、３３０…照度レベル指令部、３４０…測定値記憶部、３５０…演算部、４００…入力手段、５００…出力手段、７００…プロジェクタ、７１０…光源、７２０…リフレクタ、７３１、７３２…レンズアレイ、７４０…色分離光学系、７４１…ダイクロイックミラー、７４２…反射ミラー、７４３…ダイクロイックミラー、７４５…リレー光学系、７４６、７４７…反射ミラー、７５０…電気光学装置、７５１…赤色用液晶パネル、７５２…緑色用液晶パネル、７５３…青色用液晶パネル、７５４…プリズム、７６０…投射光学系。
【図１】
2006098374.tif 000007
【図２】
2006098374.tif 000008
【図３】
2006098374.tif 000009
【図４】
2006098374.tif 000010
【図５】
2006098374.tif 000011